(57)【要約】【課題】耐力強度が高く、正面側と背面側の材質を相違させることができる二層伸縮バンドを提供する。【解決手段】複数の弾性ゴム糸１と基糸３とが間隔を空けて経緯に交錯して編織され、第１の材料からなる糸４は基糸３と編織され、基糸３の正面側にだけ露出し、背面側には露出しないように編織され、第２の材料からなる糸５は基糸３と編織され、基糸３の背面側にだけ露出し、正面側には露出しないように編織され、それによって正面側と背面側の色および材質を相違させることができ、基糸によって耐性強度を高めることができる。【選択図】  図６
0003111118.tif 000002
【実用新案登録請求の範囲】
【請求項１】
複数の弾性ゴム糸と、極めて長い基糸と、極めて長い第１の材料からなる糸と、極めて長い第２の材料からなる糸とが編織されて構成され、
前記複数の弾性ゴム糸と基糸との間には間隔が設けられ、経緯に交錯して編織され、前記第１の材料からなる糸は基糸と編織され、基糸の正面側にだけ露出し、背面側には露出しないように編織され、前記第２の材料からなる糸は基糸と編織され、基糸の背面側にだけ露出し、正面側には露出しないように編織され、
上述の構造によって基糸は優れた耐力強度を得ることができ、第１の材料からなる糸および第２の材料からなる糸はそれぞれ正面側または背面側にだけ露出し、バンドの正面側と背面側の材質を相違させることができることを特徴とする二層伸縮バンドの構造。
【請求項２】
前記第１の材料からなる糸は、正面側の数本の基糸上面に横向きに跨設された後、下方に向かい、背面側の一本の基糸と交錯し、その後再び上方に向かい、正面側の三本の基糸の上面に横向きに跨設され、このように循環して第１の材料からなる糸は正面側にだけに露出し、背面側には露出せず、
前記第２の材料からなる糸は、背面側の数本の基糸外面に横向きに跨設された後、上方に向かい、正面側の一本の基糸と交錯し、その後再び下方に向かい、背面側の三本の基糸の外面に横向きに跨設され、このように循環して第２の材料からなる糸は背面側にだけに露出し、正面側には露出しないことを特徴とする請求項１記載の二層伸縮バンドの構造。
【請求項３】
前記基糸はナイロン糸であることを特徴とする請求項１記載の二層伸縮バンドの構造。
【請求項４】
前記第１の材料からなる糸および第２の材料からなる糸は、遠赤外線材料または竹炭糸を混合した糸であることを特徴とする請求項１記載の二層伸縮バンドの構造。
【考案の詳細な説明】
【技術分野】
【０００１】
本考案は伸縮バンドの構造に関し、特に正面側と背面側の材質を相違させることができる二層伸縮バンドの構造に関する。
【背景技術】
【０００２】
図１、２は従来技術による伸縮バンドの構造を示し、数本の弾性ゴム糸１と一本の極めて長い糸２が経緯方向に間隔を空けて交錯および迂回して編織されており、弾性ゴム糸１は伸長して糸２間の間隔を拡大させることができ、伸縮効果を達成する。
【０００３】
上述の従来技術による伸縮バンドの構造には下記のような欠点が存在する。
【０００４】
１．糸２が弾性ゴム糸１に直接編織されており、その他の補助糸がないので、耐力強度に劣る。
【０００５】
２．同一の糸２が正面側と背面側を交錯して編織されているので、正面側と背面側の糸２の色は同一であり、変化効果に劣る。
【特許文献１】特開２００４−３４６４４２号公報
【考案の開示】
【考案が解決しようとする課題】
【０００６】
本考案の第１の目的は、数本の弾性ゴム糸と、基糸と、第１の材料からなる糸と、第２の材料からなる糸とが編織されて構成され、基糸にはナイロン糸を採用することができ、弾性ゴム糸と経緯方向に間隔を空けて交錯して編織され、耐力強度を高めることができる二層伸縮バンドの構造を提供することにある。
本考案の第２の目的は、第１の材料からなる糸および第２の材料からなる糸が基糸と編織され、数本の基糸に跨設された後、反対面の一本の基糸と交錯して編織されることにより、第１の材料からなる糸は正面側にだけ露出して背面側には露出せず、第２の材料からなる糸は背面側にだけ露出して正面側には露出せず、また第１の材料からなる糸および第２の材料からなる糸は異なる色および例えば竹炭糸等の異なる材質を選択することができ、バンドの正面側と背面側の材質を相違させることができる二層伸縮バンドの構造を提供することにある。
【課題を解決するための手段】
【０００７】
上記課題を解決するため、請求項１の考案は、複数の弾性ゴム糸と、極めて長い基糸と、極めて長い第１の材料からなる糸と、極めて長い第２の材料からなる糸とが編織されて構成され、前記複数の弾性ゴム糸と基糸との間には間隔が設けられ、経緯に交錯して編織され、前記第１の材料からなる糸は基糸と編織され、基糸の正面側にだけ露出し、背面側には露出しないように編織され、前記第２の材料からなる糸は基糸と編織され、基糸の背面側にだけ露出し、正面側には露出しないように編織され、上述の構造によって基糸は優れた耐力強度を得ることができ、第１の材料からなる糸および第２の材料からなる糸はそれぞれ正面側または背面側にだけ露出し、バンドの正面側と背面側の材質を相違させることができることを特徴とする二層伸縮バンドの構造である。
【０００８】
請求項２の考案は、前記第１の材料からなる糸は、正面側の数本の基糸上面に横向きに跨設された後、下方に向かい、背面側の一本の基糸と交錯し、その後再び上方に向かい、正面側の三本の基糸の上面に横向きに跨設され、このように循環して第１の材料からなる糸は正面側にだけに露出し、背面側には露出せず、前記第２の材料からなる糸は、背面側の数本の基糸外面に横向きに跨設された後、上方に向かい、正面側の一本の基糸と交錯し、その後再び下方に向かい、背面側の三本の基糸の外面に横向きに跨設され、このように循環して第２の材料からなる糸は背面側にだけに露出し、正面側には露出しないことを特徴とする請求項１記載の二層伸縮バンドの構造である。
【０００９】
請求項３の考案は、前記基糸はナイロン糸であることを特徴とする請求項１記載の二層伸縮バンドの構造である。
【００１０】
請求項４の考案は、前記第１の材料からなる糸および第２の材料からなる糸は、遠赤外線材料または竹炭糸を混合した糸であることを特徴とする請求項１記載の二層伸縮バンドの構造である。
【考案の効果】
【００１１】
複数の弾性ゴム糸と基糸とが間隔を空けて経緯に交錯して編織され、第１の材料からなる糸は基糸と編織され、基糸の正面側にだけ露出し、背面側には露出しないように編織され、第２の材料からなる糸は基糸と編織され、基糸の背面側にだけ露出し、正面側には露出しないように編織され、それによって正面側と背面側の色および材質を相違させることができ、基糸によって耐性強度を高めることができる。
【考案を実施するための最良の形態】
【００１２】
図５、６、７に示すように、複数の弾性ゴム線１と、極めて長い基糸３と、極めて長い第１の材料からなる糸４と、極めて長い第２の材料からなる糸５とが編織されて構成され、複数の弾性ゴム糸と基糸３との間には間隔が設けられ、経緯に交錯して編織され、第１の材料からなる糸４は基糸３と編織され、基糸３の正面側にだけ露出し、背面側には露出しないように編織され、第２の材料からなる糸５は基糸３と編織され、基糸３の背面側にだけ露出し、正面側には露出しないように編織されている。
【００１３】
図５に示すように、各弾性ゴム糸１は横向き（緯方向）に配列し、基糸３は垂直方向（経方向）に間隔を空けて弾性ゴム糸１を上下に交錯して編織され、それぞれの弾性ゴム糸１が基糸３によって定位されている。
【００１４】
図６に示すように、第１の材料からなる糸４は正面側の数本（三本）の基糸３上面に横向きに跨設された後、下方に向かい、背面の一本の基糸３と交錯し、その後再び上方に向かい、正面の三本の基糸３の上面に横跨され、このように循環して第１の材料からなる糸は正面側にだけに大きな面積を露出することができ、背面側には露出せず、同様に、第２の材料からなる糸５は、背面の数本（三本）の基糸３外面に横向きにに跨設された後、上方に向かい、正面の一本の基糸３と交錯し、その後再び下方に向かい、背面の三本の基糸３の外面に横向きに跨設され、このように循環して第２の材料からなる糸５は背面側にだけに大きな面積を露出することができ、正面側には露出しない。
【００１５】
図７に示すように、第１の材料からなる糸４および第２の材料からなる糸５は、横方向（緯方向）に配列し、垂直方向（経方向）の基糸３と編織されているが、弾性ゴム糸１と結合しているのではなくて基糸３と結合しているので、第１の材料からなる糸４および第２の材料からなる糸５は弾性ゴム糸１に影響を与えることなく、バンドは伸縮効果を有する。
【００１６】
上述の構造により、本考案は下記の長所を有する。
【００１７】
１．第１の材料からなる糸４および第２の材料からなる糸５は弾性ゴム糸１に直接編織されず、基糸３と編職され、基糸３はナイロン糸を採用することができ、耐力強度を高めている。
【００１８】
２．第１の材料からなる糸４および第２の材料からなる糸５は異なる色を選択することができ、正面側と背面側の色を変えることができる。
【００１９】
３．第１の材料からなる糸４および第２の材料からなる糸５は異なる材質を選択して二層構造にすることができ、例えば、背面側の第２の材料からなる糸に竹炭糸を混合した糸を選択した場合、竹炭は人体に有益であるので、人体に巻設した場合、健康を増進する効果を発揮できる。
【００２０】
４．第１の材料からなる糸４および第２の材料からなる糸５は遠赤外線材料を混合した糸を採用することができる。
【００２１】
本考案の構造は確実に優れた実用性と進歩性を備える。
【図面の簡単な説明】
【００２２】
【図１】従来技術による伸縮バンドを示す拡大上面図である。
【図２】従来技術による伸縮バンドを示す拡大断面図である。
【図３】本考案の一実施形態による二層伸縮バンドを示す上面の斜視図および一部拡大図である。
【図４】本考案の一実施形態による二層伸縮バンドを示す背面の斜視図である。
【図５】本考案の一実施形態による二層伸縮バンドの半完成品の弾性ゴム糸と基糸とを製織した様子を示す拡大上面図である。
【図６】本考案の一実施形態による二層伸縮バンドの完成品を示す拡大断面図である。
【図７】本考案の一実施形態による二層伸縮バンドの伸長させた様子を示す拡大断面図である。
【符号の説明】
【００２３】
１  弾性ゴム糸
２  糸
３  基糸
４  第１の材料からなる糸
５  第２の材料からなる糸
【図１】
0003111118.tif 000003
【図２】
0003111118.tif 000004
【図３】
0003111118.tif 000005
【図４】
0003111118.tif 000006
【図５】
0003111118.tif 000007
【図６】
0003111118.tif 000008
【図７】
0003111118.tif 000009